(57)【特許請求の範囲】
【請求項１】
情報収集端末により複数の情報提供端末から情報を収集する情報収集方法であって、
前記情報収集端末は、
情報配信元に要求する条件である配信元条件を伴う問合せを、前記複数の情報提供端末に送信して、当該配信元条件を満足する前記情報提供端末から応答を受信し、
前記応答に含まれているプロファイル情報が、予め登録されている禁止条件に該当するか否かを判断し、該当しない場合に、当該応答のあった前記情報提供端末に、収集したい前記情報の検索条件を伴う配信要求を送信して、当該検索条件を満足する公開情報を保持する前記情報提供端末から当該公開情報を受信し、
前記情報提供端末は、
前記情報収集端末から前記問合せを受信した場合に、自端末が保持している情報提供者のプロファイル情報が、当該問合せに含まれている前記配信元条件を満足しているか否かを判断し、満足しているならば、前記応答に前記プロファイル情報を含めて、当該応答を前記情報収集端末に送信し、
前記情報収集端末から前記配信要求を受信した場合に、自端末に蓄積されている第三者に公開可能な前記公開情報のなかから、当該配信要求に含まれている前記検索条件を満足する公開情報を検索し、検索できたならば当該公開情報を前記情報収集端末に送信する
ことを特徴とする情報収集方法。
【請求項２】
複数の情報提供端末から情報を収集する情報端末であって、
情報配信元に要求する条件である配信元条件を伴う問合せを前記複数の情報提供端末に送信し、当該配信元条件を満足する前記情報提供端末から、情報提供者のプロファイル情報を含む応答を受信する問合せ手段と、
前記応答に含まれているプロファイル情報が、予め登録されている禁止条件に該当するか否かを判断し、該当しない場合に、当該応答の送信元である前記情報提供端末に、収集したい前記情報の検索条件を伴う配信要求を送信して、当該検索条件を満足する公開情報を保持する前記情報提供端末から当該公開情報を受信する情報収集手段と、を有する
ことを特徴とする情報端末。
【請求項３】
情報収集端末に情報を提供する情報端末であって、
第三者に公開可能な情報である公開情報を記憶する公開情報記憶手段と、
情報配信元に要求する条件である配信元条件を伴う問合せを前記情報収集端末から受信した場合に、自端末が保持している情報提供者のプロファイル情報が当該配信元条件を満足しているか否かを判断し、満足しているならば、当該問合せに対する応答に前記プロファイル情報を含めて、当該応答を前記情報収集端末に送信する応答手段と、
前記情報収集端末において、前記応答に含まれている前記プロファイル情報が予め登録されている禁止条件に該当しないと判断され、当該情報収集端末から、収集したい前記情報の検索条件を伴う配信要求を受信した場合に、前記公開情報記憶手段のなかから、当該検索条件を満足する前記公開情報を検索し、検索できたならば当該公開情報を前記情報収集端末に送信する情報提供手段と、を有する
ことを特徴とする情報端末。
【発明の詳細な説明】
【技術分野】
【０００１】
本発明は、任意の端末から情報を収集する技術に関する。
【背景技術】
【０００２】
特許文献１には、情報発信者が、真に情報を必要とする人にその情報を効率よく配信でき、かつ情報利用者が真に必要な情報を効率よく収集できる情報配信システムが開示されている。
【０００３】
この情報配信システムには、情報発信者が送信したリリース情報と、情報利用者が希望する受信条件とが登録される。そして、この情報配信システムは、登録されたリリース情報の配信先を、登録された受信条件に基づいて特定し、特定した配信先に、このリリース情報を配信する。
【先行技術文献】
【特許文献】
【０００４】
【特許文献１】特開２００３−２１６６３９号公報
【発明の概要】
【発明が解決しようとする課題】
【０００５】
特許文献１に記載の情報配信システムでは、情報発信者の端末、および情報利用者の端末とは別に、情報発信者が送信したリリース情報、および情報利用者が希望する受信条件を集中管理する特別なサーバが必要である。
【０００６】
ここで、サーバ機能の一部を情報発信者の端末に持たせることにより、端末のみで情報配信システムを構築することも可能である。この場合、例えば、情報利用者の端末が、受信条件を伴う配信要求を情報発信者の端末各々に送信し、情報発信者の端末が、この受信条件に合致するリリース情報を情報利用者の端末に送信する。
【０００７】
しかし、受信条件を伴う配信要求をすべての情報発信者の端末に対して送信することとなるため、受信条件に合致するリリース情報の検索処理がすべての情報発信者の端末で発生して効率的でない。また、情報利用者が情報を収集していることを知られたくない第三者（情報発信者）に、情報利用者が欲している情報の内容（受信条件）を知られてしまう可能性がある。
【０００８】
本発明は上記事情に鑑みてなされたものであり、本発明の目的は、特別なサーバなしで効率よく情報を収集できる技術を提供することにある。
【課題を解決するための手段】
【０００９】
上記課題を解決するために、本発明では、情報収集者の端末である情報収集端末が、情報配信元に要求する条件である配信元条件を伴う問合せを、情報提供者の端末である複数の情報提供端末に送信する。これを受けて、各情報提供端末は、自端末が保持する情報提供者のプロファイル情報が配信元条件を満足しているか否かを判断し、満足しているならば、このプロファイル情報を含む応答を情報収集端末に送信する。これを受けて、情報収集端末は、応答に含まれているプロファイル情報が、予め登録されている禁止条件に該当するか否かを判断し、該当しない場合に、この応答のあった情報提供端末に、収集したい情報の検索条件を伴う配信要求を送信する。情報提供端末は、情報収集端末から配信要求を受信した場合に、自身に蓄積されている第三者に公開可能な情報である公開情報のなかから、この配信要求に含まれている検索条件を満足する公開情報を検索し、このような公開情報を検索できたならば、この公開情報を情報収集端末に送信する。
【００１１】
例えば、本発明は、複数の情報提供端末から情報を収集する情報端末であって、
情報配信元に要求する条件である配信元条件を伴う問合せを前記複数の情報提供端末に送信し、当該配信元条件を満足する前記情報提供端末から、情報提供者のプロファイル情報を含む応答を受信する問合せ手段と、
前記応答に含まれているプロファイル情報が、予め登録されている禁止条件に該当するか否かを判断し、該当しない場合に、当該応答の送信元である前記情報提供端末に、収集したい前記情報の検索条件を伴う配信要求を送信して、当該検索条件を満足する公開情報を保持する前記情報提供端末から当該公開情報を受信する情報収集手段と、を有する。
【００１２】
また、本発明は、情報収集端末に情報を提供する情報端末であって、
第三者に公開可能な情報である公開情報を記憶する公開情報記憶手段と、
情報配信元に要求する条件である配信元条件を伴う問合せを前記情報収集端末から受信した場合に、自端末が保持している情報提供者のプロファイル情報が当該配信元条件を満足しているか否かを判断し、満足しているならば、当該問合せに対する応答に前記プロファイル情報を含めて、当該応答を前記情報収集端末に送信する応答手段と、
前記情報収集端末において、前記応答に含まれている前記プロファイル情報が予め登録されている禁止条件に該当しないと判断され、当該情報収集端末から、収集したい前記情報の検索条件を伴う配信要求を受信した場合に、前記公開情報記憶手段のなかから、当該検索条件を満足する前記公開情報を検索し、検索できたならば当該公開情報を前記情報収集端末に送信する情報提供手段と、を有する。
【発明の効果】
【００１３】
本発明によれば、特別なサーバなしで効率よく情報を収集できる技術を提供できる。
【図面の簡単な説明】
【００１４】
【図１】図１（Ａ）は、本発明の一実施の形態に係る情報収集システムの概略図であり、図１（Ｂ）は、図１（Ａ）に示す情報収集システムの動作例を説明するためのシーケンス図である。
【図２】図２は、情報収集端末１の概略機能構成図である。
【図３】図３（Ａ）は、配信元条件のフォーマット例を説明するための図であり、図３（Ｂ）は、禁止条件のフォーマット例を説明するための図であり、図３（Ｃ）は、検索条件のフォーマット例を説明するための図であり、図３（Ｄ）は、プロファイル情報のフォーマット例を説明するための図であり、図３（Ｅ）は、公開情報のフォーマット例を説明するための図である。
【図４】図４は、情報収集端末１の動作フローを説明するための図である。
【図５】図５は、情報提供端末２の概略機能構成図である。
【図６】図６は、情報提供端末２の動作フローを説明するため図である。
【発明を実施するための形態】
【００１５】
以下に、本発明の実施の形態について説明する。
【００１６】
図１（Ａ）は、本発明の一実施の形態に係る情報収集システムの概略図である。
【００１７】
図示するように、本実施の形態の情報収集システムは、情報収集端末１と、複数の情報提供端末２−１〜２−３（以下、単に情報提供端末２とも呼ぶ）とが、ＬＡＮ、ＷＡＮ等のネットワーク３を介して相互接続されて構成されている。
【００１８】
情報収集端末１は、情報収集者の情報端末であり、情報提供端末２から所望の情報を収集する。情報提供端末２は、情報提供者の情報端末であり、自端末２に蓄積されている情報のうち、第三者に公開可能な情報（以下、公開情報）を情報収集端末１に配信する。なお、ここでは、情報収集端末１が一台、情報提供端末２が三台の場合を例示しているが、情報収集端末１は複数台あってもよく、情報提供端末２は複数台あればよい。
【００１９】
図１（Ｂ）は、図１（Ａ）に示す情報収集システムの動作例を説明するためのシーケンス図である。
【００２０】
まず、情報収集端末１は、情報配信元に要求する条件（以下、配信元条件）、公開情報の配信要求先から除外される情報提供端末２の条件（以下、禁止条件）、および公開情報の検索条件を含む収集条件を、情報収集者から受け付ける（Ｓ１１）。それから、情報収集端末１は、配信元条件を含む問合せメッセージを作成し、ネットワーク３を介してすべての情報提供端末２−１〜２−３に、この問合せメッセージをマルチキャストで送信する（Ｓ１２）。
【００２１】
これを受けて、情報提供端末２−１〜２−３は、自端末２−１〜２−３が保持する情報提供者のプロファイル情報が配信元条件を満足しているか否かを判断する（Ｓ１３−１〜Ｓ１３−３）。そして、満足しているならば、このプロファイル情報を含む応答メッセージを情報収集端末１に送信する。ここでは、情報提供端末２−１、２−２が、自端末２−１、２−２が保持する情報提供者のプロファイル情報が配信元条件を満足していると判断し、情報収集端末１に応答メッセージを送信している（Ｓ１４−１、Ｓ１４−２）。
【００２２】
情報収集端末１は、情報提供端末２−１、２−２から応答メッセージを受信したならば、この応答メッセージに含まれているプロファイル情報が禁止条件に該当するか否かを判断する（Ｓ１５）。そして、プロファイル情報が禁止条件に該当しない場合にのみ、このプロファイル情報を含む応答メッセージの送信元に、検索条件を含む配信要求メッセージを送信する。ここでは、情報収集端末１は、情報提供端末２−１から受信した応答メッセージに含まれているプロファイル情報のみが禁止条件に該当しないと判断し、情報提供端末２−１に対してのみ配信要求メッセージを送信している（Ｓ１６）。
【００２３】
情報提供端末２−１は、情報収集端末１から配信要求メッセージを受信した場合に、自端末２−１に蓄積されている公開情報のなかから、この配信要求メッセージに含まれている検索条件を満足する公開情報を検索する（Ｓ１７）。このような公開情報を検索できたならば、この公開情報を情報収集端末１に送信する（Ｓ１８）。
【００２４】
これを受けて、情報収集端末１は、公開情報を表示する（Ｓ１９）。
【００２５】
つぎに、本実施の形態に係る情報収集システムを構成する情報収集端末１、情報提供端末２について説明する。まず、情報収集端末１について説明する。
【００２６】
図２は、情報収集端末１の概略機能構成図である。
【００２７】
図示するように、情報収集端末１は、ネットワークＩＦ部１１と、マンマシンＩＦ部１２と、収集条件受付部１３と、問合せ部１４と、配信要求先決定部１５と、情報収集部１６と、公開情報表示部１７と、を有する。
【００２８】
ネットワークＩＦ部１１は、ネットワーク３を介して情報提供端末２と通信を行うためのインターフェースである。
【００２９】
マンマシンＩＦ部１２は、ユーザが情報閲覧および各種操作を行うためのインターフェースであり、図示していないが、キーボード、マウス等の入力装置、および液晶ディスプレイ等の表示装置を備える。
【００３０】
収集条件受付部１３は、マンマシンＩＦ部１２を介してユーザ（情報収集者）から収集条件を受け付ける。上述したように、収集条件には、配信元条件、禁止条件、および検索条件が含まれる。ここで、配信元条件は、図３（Ａ）に示すように、例えば、情報配信元に要求する分野１３０１、部署１３０２、役職１３０３等の条件を含む。禁止条件は、図３（Ｂ）に示すように、例えば、公開情報の配信要求先から除外する部署１３１１、キーワード１３１２等の条件を含む。検索条件は、図３（Ｃ）に示すように、例えば、品名１３２１、キーワード１３２２等の、公開情報の検索に用いる情報を含む。
【００３１】
問合せ部１４は、収集条件受付部１３で受け付けた収集条件に含まれている配信元条件を含む問合せメッセージを作成し、ネットワークＩＦ部１１を介してすべての情報提供端末２に、この問合せメッセージをマルチキャストで送信する。そして、配信元条件を満足する情報提供端末２から応答メッセージを受信する。
【００３２】
配信要求先決定部１５は、問合せ部１４が受信した応答メッセージに含まれているプロファイル情報が、収集条件受付部１３で受け付けた収集条件に含まれている禁止条件に該当するか否かを判断する。そして、禁止条件に該当しないプロファイル情報を含む応答メッセージの送信元を配信要求先に決定する。ここで、プロファイル情報は、図３（Ｄ）に示すように、例えば、情報提供者の分野１３３１、部署１３３２、役職１３３３、取扱商品１３３４等の諸情報を含む。
【００３３】
情報収集部１６は、ネットワークＩＦ部１１を介して、配信要求先決定部１５により配信要求先に決定された情報提供端末２各々に、収集条件受付部１３で受け付けた収集条件に含まれている検索条件を含む配信要求メッセージを送信する。そして、検索条件を満足する公開情報を保持する情報提供端末２から、この公開情報を受信する。ここで、公開情報は、図３（Ｅ）に示すように、例えば、品名１３４１、および価格、仕様、分野等の詳細１３４２を含む。
【００３４】
公開情報表示部１７は、情報収集部１６により情報提供端末２から受信した公開情報を、マンマシンＩＦ部１２に表示する。
【００３５】
図４は、情報収集端末１の動作フローを説明するための図である。このフローは、ユーザから情報収集の指示をマンマシンＩＦ部１２が受け付けることにより開始される。
【００３６】
まず、収集条件受付部１３は、マンマシンＩＦ部１２を介してユーザから収集条件を受け付ける（Ｓ２００）。
【００３７】
つぎに、問合せ部１４は、収集条件受付部１３で受け付けた収集条件に含まれている配信元条件を含む問合せメッセージを作成し、ネットワークＩＦ部１１を介してすべての情報提供端末２に、この問合せメッセージをマルチキャストで送信する（Ｓ２０１）。それから、問合せ部１４は、所定時間（例えば数秒）を経過するまでの間、情報提供端末２から応答メッセージを受信する（Ｓ２０２）。
【００３８】
つぎに、配信要求先決定部１５は、問合せ部１４により受信された応答メッセージのなかから、未選択の応答メッセージを一つ選択する（Ｓ２０３）。そして、配信要求先決定部１５は、選択した応答メッセージに含まれているプロファイル情報が、収集条件受付部１３で受け付けた収集条件に含まれている禁止条件に該当するか否かを判断する（Ｓ２０４）。例えば、禁止条件に部署１３１１が含まれているならば、この部署１３１１がプロファイル情報の部署１３３２と一致するか否かを判断する。そして、両者１３１１、１３３２が一致する場合は、プロファイル情報が禁止条件に該当すると判断する。また、禁止条件にキーワード１３１２が含まれているならば、このキーワード１３１２がプロファイル情報に含まれているか否かを判断する。そして、このキーワード１３１２が含まれている場合は、プロファイル情報が禁止条件に該当すると判断する。
【００３９】
プロファイル情報が禁止条件に該当すると判断した場合（Ｓ２０４でＹＥＳ）、Ｓ２０９に進む。一方、プロファイル情報が禁止条件に該当しないと判断した場合（Ｓ２０４でＮＯ）、配信要求先決定部１５は、選択した応答メッセージの送信元を配信要求先に決定する。これを受けて、情報収集部１６は、収集条件受付部１３で受け付けた収集条件に含まれている検索条件を含む配信要求メッセージを作成し、ネットワークＩＦ部１１を介して配信要求先の情報提供端末２に、この配信要求メッセージを送信する（Ｓ２０５）。その後、情報収集部１６は、所定時間（例えば数秒）の経過によりタイムアウトするまでの間、配信要求先の情報提供端末２から公開情報が送られてくるのを待つ（Ｓ２０６、Ｓ２０７）。
【００４０】
配信要求先の情報提供端末２から公開情報を受信したならば（Ｓ２０６でＹＥＳ）、情報収集部１６は、これを公開情報表示部１７に渡す。公開情報表示部１７は、マンマシンＩＦ部１２にこの公開情報を表示する（Ｓ２０８）。その後、Ｓ２０９に進む。一方、配信要求先の情報提供端末２から公開情報を受信することなく、所定時間の経過によりタイムアウトしたならば（Ｓ２０７でＹＥＳ）、Ｓ２０９に進む。
【００４１】
Ｓ２０９において、配信要求先決定部１５は、問合せ部１４により受信されたすべての応答メッセージを選択したか否かを判断する。未選択の応答メッセージがあるならば（Ｓ２０９でＮＯ）、Ｓ２０３に戻る。一方、すべての応答メッセージを選択済みならば（Ｓ２０９でＹＥＳ）、このフローを終了する。
【００４２】
つぎに、情報提供端末２について説明する。
【００４３】
図５は、情報提供端末２の概略機能構成図である。
【００４４】
図示するように、情報提供端末２は、ネットワークＩＦ部２１と、プロファイル情報記憶部２２と、公開情報記憶部２３と、応答部２４と、情報提供部２５と、を有する。
【００４５】
ネットワークＩＦ部２１は、ネットワーク３を介して情報収集端末１と通信を行うためのインターフェースである。
【００４６】
プロファイル情報記憶部２２には、ユーザ（情報提供者）のプロファイル情報（図３（Ｄ)参照）が記憶されている。
【００４７】
公開情報記憶部２３には、自端末２に蓄積された公開情報（図３（Ｅ）参照）が記憶されている。
【００４８】
応答部２４は、ネットワークＩＦ部２１を介して情報収集端末１から問合せメッセージを受信した場合に、プロファイル情報記憶部２２に記憶されているプロファイル情報が、この問合せメッセージに含まれる配信元条件を満足しているか否かを判断する。そして、プロファイル情報が配信元条件を満足していると判断したならば、このプロファイル情報を含む応答メッセージを作成して、この応答メッセージを情報収集端末１に送信する。
【００４９】
情報提供部２５は、ネットワークＩＦ部２１を介して情報収集端末１から配信要求メッセージを受信した場合に、この配信要求メッセージに含まれている検索条件を満足する公開情報を公開情報記憶部２３から検索する。そして、このような公開情報を検索できたならば、この公開情報を情報収集端末１に送信する。
【００５０】
図６は、情報提供端末２の動作フローを説明するための図である。
【００５１】
応答部２４は、ネットワークＩＦ部２１を介して情報収集端末１から問合せメッセージを受信すると（Ｓ３００でＹＥＳ）、この問合せメッセージに含まれている配信元条件とプロファイル情報記憶部２２に記憶されているプロファイル情報とを比較し、プロファイル情報が配信元条件を満足しているか否かを判断する（Ｓ３０１）。例えば、配信元条件に含まれている分野１３０１、部署１３０２、役職１３０３等と、プロファイル情報に記憶されている分野１３３１、部署１３３２、役職１３３３等とを比較し、少なくとも一つの項目が一致するならば、プロファイル情報が配信元条件を満足していると判断する。
【００５２】
応答部２４は、プロファイル情報が配信元条件を満足していると判断した場合にのみ（Ｓ３０１でＹＥＳ）、このプロファイル情報を含む応答メッセージを作成し、ネットワークＩＦ部２１を介して情報収集端末１に、この応答メッセージを送信する（Ｓ３０２）。
【００５３】
また、情報提供部２５は、ネットワークＩＦ部２１を介して情報収集端末１から配信要求メッセージを受信すると（Ｓ３０３でＹＥＳ）、この配信要求メッセージに含まれている検索条件を満足する公開情報を公開情報記憶部２３から検索する（Ｓ３０４）。例えば、検索条件に品名１３２１が含まれているならば、この品名１３２１と一致する品名１３４１を含む公開情報を公開情報記憶部２３から検索する。また、検索条件にキーワード１３２２が含まれているならば、このキーワード１３２２を含む詳細１３４２を有する公開情報を公開情報記憶部２３から検索する。
【００５４】
そして、情報提供部２５は、検索条件を満足する公開情報を検索できたならば（Ｓ３０５でＹＥＳ）、ネットワークＩＦ部２１を介して情報収集端末１に、この公開情報を送信する（Ｓ３０６）。
【００５５】
以上、本発明の一実施の形態について説明した。
【００５６】
本実施の形態では、情報収集端末１が、配信元条件を伴う問合せメッセージを複数の情報提供端末２にマルチキャストで送信する。これを受けて、各情報提供端末２は、情報提供者のプロファイル情報が配信元条件を満足しているか否かを判断し、満足しているならば応答メッセージを情報収集端末１に送信する。情報収集端末１は、応答メッセージのあった情報提供端末２に、検索条件を伴う配信要求メッセージを送信する。情報提供端末２は、情報収集端末１から配信要求メッセージを受信した場合に、自身に蓄積されている公開情報のなかから、検索条件を満足する公開情報を検索し、このような公開情報を検索できたならば、この公開情報を情報収集端末１に送信する。
【００５７】
このようにすることで、本実施の形態では、配信元条件を満足する情報提供端末２においてのみ公開情報の検索処理が行われ、したがって、特別なサーバなしで効率よく情報を収集できる。
【００５８】
また、本実施の形態において、情報提供端末２は、応答メッセージに情報提供者のプロファイル情報を含め、この応答メッセージを情報収集端末１に送信する。また、情報収集端末１は、応答メッセージに含まれているプロファイル情報が禁止条件に該当するか否かを判断する。そして、禁止条件に該当するならば、この応答メッセージの送信元に対しては配信要求メッセージを送信しない。
【００５９】
このようにすることにより、情報収集端末１は、情報収集者が情報を収集していることを知られたくない情報提供者の情報提供端末２を、配信要求先から除外することができる。したがって、本実施の形態によれば、情報収集者がある情報を欲している事実を知られたくない情報提供者に、そのことが知られてしまう可能性を低減できる。
【００６０】
なお、本発明は上記の実施の形態に限定されるものではなく、その要旨の範囲内で数々の変形が可能である。
【００６１】
例えば、上記の実施の形態において、図２に示す情報収集端末１、および図５に示す情報提供端末２の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、モデム等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【００６２】
また、上記の実施の形態において、情報収集端末１は、情報提供端末２としての機能を備えたものでもよい。同様に、情報提供端末２は、情報収集端末１としての機能を備えたものでもよい。
【符号の説明】
【００６３】
１：情報収集端末、２−１〜２−３：情報提供端末、３：ネットワーク、１１：ネットワークＩＦ部、１２：マンマシンＩＦ部、１３：収集条件受付部、１４：問合せ部、１５：配信要求先決定部、１６：情報収集部、１７：公開情報表示部、２１：ネットワークＩＦ部、２２：プロファイル情報記憶部、２３：公開情報記憶部、２４：応答部、２５：情報提供部
【図１】
0005581946.tif 000002
【図２】
0005581946.tif 000003
【図３】
0005581946.tif 000004
【図４】
0005581946.tif 000005
【図５】
0005581946.tif 000006
【図６】
0005581946.tif 000007